(57)【要約】【課題】電気工事を必要とせず、既存の照明器具においても個々の蛍光灯を消灯可能にする。【解決手段】蛍光灯５０のコンタクトピン５２に装着され、コンタクトピン５２の周囲を回動することによりコンタクトピン５２と電極６１との間に介在する状態と、介在しない状態とを取り得る絶縁体１２と、絶縁体１２をコンタクトピン５２の周囲で回動させる操作板１１とを備えた蛍光灯消灯冶具１０を、絶縁体１２がコンタクトピン５２を中心として回動可能となるように取り付け、操作板１１により絶縁体１２を回転させ、絶縁体１２をコンタクトピン５２と電極６１との間に介在させることにより蛍光灯５９を消灯する。【選択図】図５
2009224230.tif 000002
【特許請求の範囲】
【請求項１】
コンタクトピンの外周面の一部に当接する電極より電力を供給される蛍光灯を消灯するための蛍光灯消灯冶具であって、
前記コンタクトピンに装着され、前記コンタクトピンの周囲を回動することにより前記コンタクトピンと前記電極との間に介在する状態と、介在しない状態とを取り得る絶縁体と、前記絶縁体を前記コンタクトピンの外周面に沿って周方向に移動させる操作部材とを備えることを特徴とする蛍光灯消灯冶具。
【請求項２】
請求項１記載の蛍光灯消灯冶具であって、
一対の前記電極が前記コンタクトピンに、その外周面の径方向両側から当接し、
前記絶縁体は、前記コンタクトピンの外周面に沿った弧状の断面を有する部材を一対、前記コンタクトピンの中心軸を隔てて対向するように設けて構成されていることを特徴とする蛍光灯消灯冶具。
【請求項３】
請求項１又は２記載の蛍光灯消灯冶具であって、
前記操作部材は、前記絶縁体が前記コンタクトピンに装着された状態で、前記蛍光灯と前記コンタクトピンを収容するコンセントとの間の隙間から外側へ突出するように、前記絶縁体に固定されていることを特徴とする蛍光灯消灯冶具。
【発明の詳細な説明】
【技術分野】
【０００１】
本発明は、蛍光灯を消灯するための蛍光灯消灯冶具に関する。
【背景技術】
【０００２】
従来より、事務所、工場等の照明として、複数群の直列２灯式の蛍光灯装置が用いられている。このような複数群の蛍光灯装置は群ごとに一つのスイッチにより一括して点灯、消灯を切り替える構成のものが多い。このように一括して点灯、消灯を切り替える構成では、室内の一部の蛍光灯のみを点灯したいような場合であっても、同じ群の全ての蛍光灯を点灯しなければならず、電力を無駄に消費することとなってしまう。
【０００３】
そこで、例えば、特許文献１には、このような２灯直列型の蛍光灯のうち一方を消灯できる照明器具が記載されている。このような照明器具を用いることにより不要な箇所の蛍光灯の一方を消灯することができるため、無駄な電力消費を抑えることができる。
【特許文献１】特開２００７−１９４０５６号公報
【発明の開示】
【発明が解決しようとする課題】
【０００４】
しかしながら、特許文献１記載の蛍光灯器具を既存の事務所、工場等に設置するためには電気工事が必要となる。
【０００５】
本発明は、上記の問題に鑑みなされたものであり、その目的は電気工事を必要とせず、既存の照明器具においても個々の蛍光灯を消灯可能にすることである。
【課題を解決するための手段】
【０００６】
本発明の蛍光灯消灯冶具は、コンタクトピンの外周面の一部に当接する電極より電力を供給される蛍光灯を消灯するための蛍光灯消灯冶具であって、前記コンタクトピンに装着され、前記コンタクトピンの周囲を回動することにより前記コンタクトピンと前記電極との間に介在する状態と、介在しない状態とを取り得る絶縁体と、前記絶縁体を前記コンタクトピンの外周面に沿って周方向に移動させる操作部材とを備えることを特徴とする。
【０００７】
上記の蛍光灯消灯冶具において、一対の前記電極が前記コンタクトピンに、その外周面の径方向両側から当接し、前記絶縁体は、前記コンタクトピンの外周面に沿った弧状の断面を有する部材を一対、前記コンタクトピンの中心軸を隔てて対向するように設けて構成されていてもよい。
【０００８】
また、前記操作部材は、前記絶縁体が前記コンタクトピンに装着された状態で、前記蛍光灯と前記コンタクトピンを収容するコンセントとの間の隙間から外側へ突出するように、前記絶縁体に固定されていてもよい。
【発明の効果】
【０００９】
本発明によれば、簡易な冶具を設置するだけで、蛍光灯のコンタクトピンと電極との間を導通状態から電気的絶縁状態へと切替可能となるため、既存の照明器具でも適用することができる。
【発明を実施するための最良の形態】
【００１０】
以下、本発明の蛍光灯消灯冶具の一実施形態を図面を参照しながら詳細に説明する。
本実施形態の蛍光灯消灯冶具は、例えば、事務所、工場等の照明として設置され、一つのスイッチにより一括して点灯、消灯が切り替えられる複数の蛍光灯装置からなる照明装置において、個々に蛍光灯を消灯するためのものである。以下の説明では、蛍光灯装置としてスタータ形の点灯回路を有する装置が用いられた場合について説明する。
【００１１】
図１は、本実施形態の蛍光灯消灯冶具が取り付けられるスタータ形の点灯回路を有する蛍光灯装置１００の回路図である。同図に示すように、蛍光灯装置１００は、電源の両極間に安定器１１０、蛍光灯５０の一方のフィラメント５１Ａ、点灯管１２０、蛍光灯５０の他方のフィラメント５１Ｂが直列接続されてなる。蛍光灯５０はそのフィラメント５１Ａ、５１Ｂの両側に接続されたコンタクトピン５２がコンセント６０の電極６１に接続されている。スタータ形の点灯回路１００では、スイッチをＯＮにすると電源１３０より電力が供給され、一時的に点灯管１２０がＯＮとなって蛍光灯５０の両端のフィラメント５１Ａ，５１Ｂを直列接続され、フィラメント５１Ａ，５１Ｂを加熱した後、点灯管１２０がＯＦＦとなって蛍光灯５０のフィラメント５１Ａ，５１Ｂ間で放電されることにより蛍光灯５０が点灯する。
【００１２】
図２は、蛍光灯５０のコンタクトピンとコンセント６０との接続部を示す図であり、（Ａ）は鉛直方向断面図、（Ｂ）は水平方向断面図、（Ｃ）は（Ａ）におけるＣ−Ｃ´断面図である。同図に示すように、コンセント６０は、円筒状に形成され、蛍光灯５０のコンタクトピン５２を挿入可能な一対の孔６２Ａを備えたプラスチック製の外枠６２と、外枠６２内に内装された蛍光灯５０に電力を供給するための一対の電極６１とにより構成される。電極６１は、クリップ状に成形された導電性の板材（例えば、鉄板）からなる。蛍光灯５０の一対のコンタクトピン５２を夫々外枠６２の一対の孔６２Ａに挿入すると、各電極６１がコンタクトピン５２を挟みこみ、これによりコンタクトピン５２と電極６１とが導通する。
【００１３】
図３は、本実施形態の蛍光灯消灯冶具１０を示す斜視図である。同図に示すように、本実施形態の蛍光灯消灯冶具１０は、蛍光灯５０のコンタクトピン５２の径に合わせて形成された貫通孔１１Ａを備え、好ましくは絶縁性の板材からなる楕円形の操作板１１と、操作板１１の貫通孔１１Ａの縁に沿って対向するように立設された、弧状の断面を有する一対の絶縁体１２とにより構成される。蛍光灯消灯冶具１０は、蛍光灯５０のコンタクトピン５２を貫通孔１１Ａに挿入して用いられるものであり、蛍光灯５０のコンタクトピン５２のうちの少なくとも何れか一つに装着される。
【００１４】
一対の絶縁体１２は、コンタクトピン５２よりも長く、また、コンタクトピン５２を貫通孔１１Ａに挿入した状態で、操作板１１をコンタクトピン５２を中心として回動させることにより、コンタクトピン５２の外周に沿って回動させることができる。
【００１５】
図４は、本実施形態の蛍光灯消灯冶具１０を装着した蛍光灯装置１００の、蛍光灯５０の点灯時のコンタクトピン５２とコンセント６０との接続部を示す図であり、（Ａ）は鉛直方向断面図、（Ｂ）は水平方向断面図、（Ｃ）は（Ａ）におけるＣ−Ｃ´断面図である。同図に示すように、コンタクトピン５２とコンセント６０の接続部において、蛍光灯消灯冶具１０の絶縁体１２は、外枠６２の貫通孔６２Ａ内に挿入された状態となる。
【００１６】
蛍光灯５０を点灯させる場合には、絶縁体１２がコンタクトピン５２の外周面の電極６１と当接している部分以外の部分に位置するように、操作板１１により蛍光灯消灯冶具１０を回転させる。この状態では、電極６１とコンタクトピン５２との間が電気的に導通することとなり、照明装置のスイッチを入れることにより、蛍光灯装置１００に電力が供給されると、蛍光灯５０は点灯する。
【００１７】
図５は、本実施形態の蛍光灯消灯冶具１０を装着した蛍光灯装置１００の、蛍光灯５０の消灯時のコンタクトピン５２とコンセント６０との接続部を示す図であり、（Ａ）は鉛直方向断面図、（Ｂ）は水平方向断面図、（Ｃ）は（Ａ）におけるＣ−Ｃ´断面図である。同図に示すように、蛍光灯５０を消灯する場合には、絶縁体１２がコンタクトピン５２と電極６１との間に介在するまで（本実施形態では約９０度）、操作板１１により蛍光灯消灯冶具１０を回転させる。この状態では、電極６１とコンタクトピン５２とが電気的に絶縁されこととなり、蛍光灯５０への電流の供給が停止するため、蛍光灯５０を消灯することができる。
【００１８】
以上説明したように本実施形態によれば、一のスイッチにより複数の蛍光灯の点灯、消灯が切り替えられる照明装置においても、簡易な冶具１０を各蛍光灯装置１００の蛍光灯５０に取り付けるだけで、個々の蛍光灯５０を所望に応じて消灯させることができる。このため、例えば、室内の一部の蛍光灯のみを点灯させたい場合などには不要な蛍光灯５０を消灯することができ、省エネを実現できる。
【００１９】
また、本実施形態の蛍光灯消灯冶具１０は簡単な構成であり、また、蛍光灯５０のコンタクトピン５２に取り付けるだけで使用することができ、電気工事等が不要なため、コストが抑えられる。
【００２０】
なお、上記の実施形態では、複数のスタータ形の蛍光灯装置１００からなる照明装置の蛍光灯５０に本実施形態の蛍光灯消灯冶具１０を適用した場合について説明したが、これと同様に、ラピッドスタート形の点灯回路の照明装置の蛍光灯についても本発明を適用できことを実験により確認したので、以下説明する。
【００２１】
本実験では、２灯直列型のラピッドスタート形の点灯回路を有する照明装置の各蛍光灯の両端のコンタクトピンに夫々蛍光灯消灯冶具を取り付け、各蛍光灯消灯冶具について夫々導通状態にした場合と絶縁状態にした場合とについて消費電力を測定した。
【００２２】
図６は、各蛍光灯消灯冶具を導通／絶縁状態とした各場合についての消費電力、点灯／消灯を示す表である。同図に示すように、条件３〜５以外のように導通状態と絶縁状態を切り替えることで、ラピッドスタート形の点灯回路を有する照明装置であっても、本実施形態の蛍光灯消灯冶具を用いることで蛍光灯を消灯できることが確認できた。特に２灯直結型の照明装置の４対のコンタクトピンのうちの、３対又は４対に蛍光灯消灯冶具を取り付けることで、消費電力を最小限（すなわち、安定器の回路損失のみに）抑えることができることが確認された。また、これと同様に、インバータ形の照明装置についても同様の実験を行ったところ、安定器の回路損失が１Ｗ程度と低い点が異なるものの、同様の結果が得られた。
以上の実験により、本発明の蛍光灯消灯冶具は、スタータ形の点灯回路を有する照明装置のみならず、ラピッドスタート形及びインバータ形の点灯回路を有する照明装置に適用できることが確認された。
【００２３】
なお、上記の実施形態では、操作板１１に貫通孔１１Ａを設け、この貫通孔１１Ａにコンタクトピン５２を挿通させることにより、操作板１１をコンタクトピン５２を中心に回動可能なものとしたが、これに限らず、例えば操作板に溝を設け、この溝にコンタクトピン５２を嵌めこんだ状態で操作板１１をコンタクトピン５２を中心に回動させる構成としてもよい。
【図面の簡単な説明】
【００２４】
【図１】本実施形態の蛍光灯消灯冶具が取り付けられるスタータ形の蛍光灯装置の回路図である。
【図２】蛍光灯のコンタクトピンとコンセントとの接続部を示す図であり、（Ａ）は鉛直方向断面図、（Ｂ）は水平方向断面図、（Ｃ）は（Ａ）におけるＣ−Ｃ´断面図である。
【図３】本実施形態の蛍光灯消灯冶具を示す斜視図である。
【図４】本実施形態の蛍光灯消灯冶具を装着した蛍光灯装置の、蛍光灯の点灯時のコンタクトピンとコンセントとの接続部を示す図であり、（Ａ）は鉛直方向断面図、（Ｂ）は水平方向断面図、（Ｃ）は（Ａ）におけるＣ−Ｃ´断面図である。
【図５】本実施形態の蛍光灯消灯冶具を装着した蛍光灯装置の、蛍光灯の消灯時のコンタクトピンとコンセントとの接続部を示す図であり、（Ａ）は鉛直方向断面図、（Ｂ）は水平方向断面図、（Ｃ）は（Ａ）におけるＣ−Ｃ´断面図である。
【図６】ラピッドスタート形の２灯直列型の照明装置に本実施形態の蛍光灯消灯冶具を適用した実験の結果を示す表である。
【符号の説明】
【００２５】
１０  蛍光灯消灯冶具
１１  操作板
１１Ａ  貫通孔
１２  絶縁体
５０  蛍光灯
５２  コンタクトピン
６０  コンセント
６１  電極
６２  外枠
【図１】
2009224230.tif 000003
【図３】
2009224230.tif 000004
【図６】
2009224230.tif 000005
【図２】
2009224230.tif 000006
【図４】
2009224230.tif 000007
【図５】
2009224230.tif 000008